(57)【要約】【課題】コンセント及び外部の電気器具のプラグを破損しにくくするとともに、外部の電気器具のプラグをコンセントに差し込み易くする。【解決手段】プラグ１３０とこのプラグに対し互いに並列的に電気的に接続された複数のコンセント１２２を有する電気接続器具１００において、動物の顔を模した表面１０５ａと平坦な裏面１０５ｂとを有する絶縁物で形成された本体部１０５と、本体部の内部においてそれぞれの一端がｎ対一の関係でプラグに電気的に接続されており、かつ、他端側の部分が本体部の裏面側から本体部の外部に導出されている複数のコード１２０とを具え、プラグは、差込端子１３５が本体部の裏面から突出しており、コンセントのそれぞれは、一対一の関係でコードのそれぞれの他端に設けられていることを特徴とする。【選択図】図１−１
0003136426.tif 000002
【実用新案登録請求の範囲】
【請求項１】
プラグと該プラグに対し互いに並列的に電気的に接続された複数のコンセントとを有する電気接続器具において、
動物の顔を模した表面と、平坦な裏面とを有する、絶縁物で形成された本体部と、
前記本体部の内部において一端がｎ対一の関係で前記プラグと電気的に接続されており、かつ、他端側の部分が前記本体部の裏面側から該本体部の外部に導出されている複数のコードとを具え、
前記プラグの、差込端子が前記本体部の裏面から突出しており、
前記コンセントのそれぞれは、一対一の関係で前記コードのそれぞれの他端に設けられている
ことを特徴とする電気接続器具。
【請求項２】
請求項１に記載の電気接続器具において、
前記コードは、前記本体部の内側から外側へと引き出されており、該コードの前記本体部から外側の部分は、伸縮自在のらせん状に設けられている
ことを特徴とする電気接続器具。
【請求項３】
請求項１または２に記載の電気接続器具において、
前記絶縁物は、不燃性である
ことを特徴とする電気接続器具。
【請求項４】
請求項１〜３のいずれか一項に記載の電気接続器具において、
さらに、前記本体部は、その表面に前記動物の口及び鼻のいずれか一方を模した突出部が設けられており、
前記突出部は、内部または先端部に発光ダイオードが設けられている
ことを特徴とする電気接続器具。
【考案の詳細な説明】
【技術分野】
【０００１】
この考案は、電気接続器具の形状に関する。
【背景技術】
【０００２】
通常、室内に設置されたコンセントは、縦に数ｃｍ、横に数ｃｍの、長方形に形成されている。コンセントは、表面に、電気器具のプラグの差込端子が差し込まれるプラグ差込口（以下、単に「差込口」と称する場合もある）を、１〜４口程度具えている。
【０００３】
このようなコンセントは、形状が画一であるため、個性がなく、室内景観を乏しくしている。また、コンセントは、位置を確認しにくい。
【０００４】
そこで、コンセントの上に、動物の顔を模したプレート（以下、「アニマルプレート」と称する）をビスで取り付けることが提案されている（例えば、特許文献１参照）。
【０００５】
アニマルプレートは、開口部が動物の鼻に相当する位置に設けられている。アニマルプレートは、この開口部とコンセントとが一致した状態で、コンセントの上に固定される。これにより、コンセントは、アニマルプレートの開口部を介して、外部に露出する。
【特許文献１】特開２００３−７７５９８号公報（図１）
【考案の開示】
【考案が解決しようとする課題】
【０００６】
しかしながら、特許文献１に記載された従来技術によれば、外部の電気器具のプラグ（以下、「外部プラグ」と称する）を差し込む位置は、常に、１箇所すなわち動物の鼻に相当する位置に固定されている。
【０００７】
このような構成において、外部プラグからコンセントにかかる応力は、常に、分散することなく、コンセント及び外部プラグに集中してかかる。そのため、コンセント及び外部プラグが、破損する場合があった。
【０００８】
また、外部プラグのコードがあまり長くない場合に、外部の電気器具の使用者は、外部プラグをコンセントに差し込み難かった。
【０００９】
この考案の目的は、このような課題を解決するために、特許文献１に記載された従来技術よりも、コンセント及び外部プラグを破損しにくくするとともに、外部プラグをコンセントに差し込み易くする電気接続器具を提供することにある。
【課題を解決するための手段】
【００１０】
上述の課題を解決するために、この考案に係る電気接続器具は、プラグとこのプラグに対し互いに並列的に電気的に接続された複数のコンセントとを有している。この電気接続器具は、動物の顔を模した表面と、平坦な裏面とを有する、絶縁物で形成された本体部と、本体部の内部において一端がｎ対一の関係でプラグと電気的に接続されており、かつ、他端側の部分が本体部の裏面側から本体部の外部に導出されている複数のコードとを具えている。プラグは、差込端子が本体部の裏面から突出している。さらに、コンセントのそれぞれは、一対一の関係でコードのそれぞれの他端に設けられている。
【００１１】
なお、この考案の実施に当たり、好ましくは、コードは、本体部の内側から外側へと引き出されており、コードの、本体部から外側の部分は、伸縮自在のらせん状に設けられているとよい。
【００１２】
また、この考案の実施に当たり、好ましくは、本体部は、不燃性の絶縁物で形成されているとよい。
【００１３】
また、この考案の実施に当たり、好ましくは、本体部は、その表面に動物の口及び鼻のいずれか一方を模した突出部が設けられており、突出部は、その先端部に発光ダイオードが設けられているとよい。
【考案の効果】
【００１４】
この考案に係る電気接続器具によれば、コンセントのそれぞれは、一対一の関係で、本体部の裏面側から本体部の外部に導出されているコードのそれぞれの他端に設けられている。したがって、コンセントのそれぞれは、コードとともに、本体部の裏面側から本体部の外部に配置されている。
【００１５】
この電気接続器具によれば、外部プラグからコンセントにかかる応力を、各コードに分散させることができる。これにより、特許文献１に記載された従来技術よりも、コンセント及び外部プラグを破損しにくくすることができる。
【００１６】
また、この電気接続器具によれば、外部プラグを差し込む位置が複数に分散されている。そのため、外部プラグのコードがあまり長くない場合でも、外部の電気器具の使用者は、複数の外部プラグを差し込む位置の中から一つを適宜選択して使用することができるので、特許文献１に記載された従来技術よりも容易に、外部プラグをコンセントに差し込むことができる。
【００１７】
さらに、この電気接続器具によれば、本体部の表面が動物の顔を模して形成されているため、外部の電気器具の使用者に癒しを与えることができる。
【００１８】
その上、この電気接続器具によれば、コンセントの位置を外部の電気器具の使用者に解り易くすることができるため、安全な居住空間を提供することができるとともに、外部の電気器具の使用者に安心感を与えることができる。
【００１９】
なお、この電気接続器具は、コードが本体部の内側から外側へと引き出されており、コードの本体部の外側の部分が伸縮自在のらせん状に設けられている構成にすることにより、外部プラグを差し込む位置を自在に可動させることができるとともに、外部プラグからコンセントにかかる応力をさらに分散させることができる。そのため、この構成の電気接続器具によれば、さらに、コンセント及び外部プラグを破損しにくくするとともに、外部プラグをコンセントに差し込み易くすることができる。
【００２０】
また、この電気接続器具は、本体部が不燃性の絶縁物で形成されている構成にすることにより、漏電、感電、失火等の事故を未然に防ぐことができる。
【００２１】
また、この電気接続器具は、本体部がその表面に動物の口及び鼻のいずれか一方を模した突出部が設けられており、突出部の内部に発光ダイオードが設けられている構成にすることにより、この電気接続器具の位置を外部の電気器具の使用者に解り易くすることができる。
【考案を実施するための最良の形態】
【００２２】
以下、図を参照して、この考案の実施の形態につき説明する。なお、各図は、各構成要素の形状、大きさ及び配置関係を、この考案を理解できる程度に、概略的に示してあるに過ぎない。よって、この考案は、図示例のみに限定されるものではない。また、各図において、共通する構成要素や同様な構成要素については、同一の符号を付し、それらの重複する説明を省略する。
【００２３】
［実施の形態例１］
以下、図１−１（Ａ）及び（Ｂ）、図１−２（Ａ）及び（Ｂ）、図１−３（Ａ）及び（Ｂ）、並びに、図１−４（Ａ）及び（Ｂ）を参照して、実施の形態例１に係る電気接続器具の構成につき説明する。なお、各図は、それぞれ、実施の形態例１に係る電気接続器具の構成を示す図である。図１−１（Ａ）は、実施の形態例１に係る電気接続器具の正面図を示し、図１−１（Ｂ）は、実施の形態例１に係る電気接続器具の背面図を示している。また、図１−２（Ａ）は、実施の形態例１に係る電気接続器具のａ方向から見た側面図を示し、図１−２（Ｂ）は、実施の形態例１に係る電気接続器具のｂ方向から見た側面図を示している。また、図１−３（Ａ）は、実施の形態例１に係る電気接続器具のｃ方向から見た側面図を示し、図１−３（Ｂ）は、実施の形態例１に係る電気接続器具のｄ方向から見た側面図を示している。また、図１−４（Ａ）は、実施の形態例１に係る電気接続器具のＡ−Ａ’線断面図を示し、図１−４（Ｂ）は、実施の形態例１に係る電気接続器具のＢ−Ｂ’線断面図を示している。
【００２４】
各図に示すように、実施の形態例１に係る電気接続器具１００は、本体部１０５、プラグ１３０、及び複数の、ここでは３個（ｎ＝３）の、コンセント１２２を有している。本体部１０５は、プラグ１３０及び複数のコンセント１２２を支持するための構成要素である。本体部１０５は、絶縁物で形成されており、好ましくは、不燃性の絶縁物とするのがよい。これにより、電気接続器具１００は、漏電、感電、失火等の事故を未然に防ぐことができる。この本体部１０５を例えば、木、発泡スチロール、その他の任意好適なプラスチック材料で形成することができる。プラグ１３０は、周知の通り、コンセント、他の外部の電気接続器具または電気器具のプラグ差込口に差し込まれる差込端子１３５を具える構成要素である。コンセント１２２は、周知の通り、他の外部の電気接続器具または電気器具のプラグ差込端子が差し込まれる差込口１２５を具える構成要素である。
【００２５】
本体部１０５の表面１０５ａは、動物の顔を模して形成されている。なお、この実施の形態例では、本体部１０５の表面１０５ａは、「蛸」の顔を模して形成されている。この実施の形態例では、「蛸」の顔は、複数の同心円が、本体部１０５の表面１０５ａの左目に相当する位置及び右目に相当する位置に浮き彫り状に形成されることによって、目が、形成されている（図１−１（Ａ）、図１−２（Ａ）及び（Ｂ）、並びに、図１−３（Ａ）参照）。また、「蛸」の顔は、円柱状の突起（以下、「突出部１１０」と称する）が本体部１０５の表面１０５ａの口に相当する位置に形成されることによって、口が、形成されている（図１−１（Ａ）、並びに、図１−２（Ａ）及び（Ｂ）参照）。なお、突出部１１０は、内部に、発光ダイオード１１５が照明として設けられている。発光ダイオード１１５は、本体部１０５の内部で、変圧器（図示せず）を介してプラグ１３０と電気的に接続されている（図１−４（Ａ）及び（Ｂ）参照）。発光ダイオード１１５は、プラグ１３０が室内のコンセントに差し込まれたときに、発光する。これにより、電気接続器具１００は、その位置を外部の電気器具の使用者に認識させる。なお、この実施の形態例では、発光ダイオード１１５は、本体部１０５の表面１０５ａに設けられた突出部１１０の内部に設けられているものとして説明するが、発光ダイオード１１５を設ける位置は、突出部１１０の内部ではなく、突出部１１０の先端部であってもよい。また、この実施の形態例では、突出部１１０は、「蛸」の口として説明するが、動物の種類によっては、口ではなく、鼻であってもよい。
【００２６】
電気接続器具１００は、複数の、ここでは３本の、コード１２０を具えている。コード１２０は、通常は絶縁物で被覆されていて、プラグ１３０とコンセント１２２とを電気的に接続するための構成要素である。複数のコード１２０のそれぞれは、本体部１０５の内部で、一端がｎ対一（ここではｎ＝３）の関係でプラグ１３０と電気的に接続されており、かつ、他端が一対一の関係で複数のコンセント１２２のそれぞれと電気的に接続されている（図１−３（Ｂ）、並びに、図１−４（Ａ）及び（Ｂ）参照）。複数のコード１２０のそれぞれ他端側の部分は、本体部１０５の裏面１０５ｂ側から本体部１０５の少なくとも外周囲まで導出されており、好ましくは、他端が本体部１０５の内側から外側へと引き出されている。これら本体部１０５の外部へ延長された部分を、動物の「脚」に相当する構成要素とするのがよい。この実施の形態例では、３本のコード１２０は、３本の蛸の脚に見立てて構成している。なお、コード１２０のそれぞれは、本体部１０５から引き出されている外側の部分が伸縮自在のらせん状に設けられている。これにより、コード１２０のそれぞれは、可撓性を有する。そのため、外部の電気器具の使用者は、コンセント１２２の位置を自在に可動させることができる。或いは又、このらせん状の部分の外周囲を、絶縁性のカバーで覆ってもよい。
【００２７】
プラグ１３０は、差込端子１３５とコード１２０との電気的接続部を覆う、絶縁体で形成された筐体１３０ａを有しており、この筐体１３０ａから差込端子１３５が突出している。差込端子１３５は、本体部１０５の裏面１０５ｂに露出した筐体１３０ａの平坦な面から突出するように、設けられている（図１−１（Ｂ）、並びに、図１−２（Ａ）及び（Ｂ）参照）。なお、筐体１３０ａは、塵埃等がプラグ１３０付近に集積することによって電流が短絡するのを防止するために形成されている。
【００２８】
複数のコンセント１２２のそれぞれは、一対一の関係で複数のコード１２０のそれぞれの他端と接続されている。コンセント１２２のそれぞれは、周知の通り、外部プラグの差込端子が差し込まれる差込口１２５が設けられている。なお、複数のコード１２０のそれぞれは、他端が本体部１０５の裏面１０５ｂ側から本体部１０５の外部に導出されている。したがって、コード１２０の他端に設けられたコンセント１２２のそれぞれも、当然ながら、本体部１０５の外部に配置されている。
【００２９】
なお、本体部１０５の寸法は、好ましくは、縦をｈ１１、横をｈ１２、高さをｈ１３とする場合に、それぞれ、８０ｍｍ、８０ｍｍ、４０ｍｍ程度にするとよい（図１−１（Ａ）及び図１−２（Ａ）参照）。
【００３０】
また、本体部１０５の表面１０５ａの突出部１１０の寸法は、好ましくは、直径をｈ２１、長さをｈ２２とする場合に、それぞれ、２０ｍｍ、１５ｍｍ程度にするとよい（図１−１（Ａ）及び図１−２（Ａ）参照）。
【００３１】
また、筐体１３０ａの寸法は、好ましくは、縦をｈ３１、横をｈ３２、高さをｈ３３とする場合に、それぞれ、５０ｍｍ、５０ｍｍ、５ｍｍ程度にするとよい（図１−１（Ｂ）及び図１−２（Ａ）参照）。
【００３２】
また、コード１２０の寸法は、好ましくは、長さをｈ４１とする場合に、５０ｍｍ程度にするとよい（図１−１（Ａ）参照）。
【００３３】
また、コンセント１２２の寸法は、好ましくは、縦をｈ５１、横をｈ５２、高さをｈ５３とする場合に、それぞれ、２０ｍｍ、２５ｍｍ、２０ｍｍ程度にするとよい（図１−１（Ａ）及び図１−２（Ａ）参照）。なお、このコンセント１２２は、市販のものを使用すればよい。
【００３４】
以上の通り、実施の形態例１に係る電気接続器具１００は、外部プラグを差し込む位置が各コード１２０の先端部に分散されているので、外部プラグからコンセント１２２にかかる応力を各コード１２０に分散させることができる。
【００３５】
［実施の形態例２］
以下、図２（Ａ）及び（Ｂ）を参照して、実施の形態例２に係る電気接続器具の構成につき説明する。なお、図２（Ａ）及び（Ｂ）は、それぞれ、実施の形態例２に係る電気接続器具の構成を示す図である。図２（Ａ）は、実施の形態例２に係る電気接続器具の正面図を示し、図２（Ｂ）は、実施の形態例２に係る電気接続器具のコンセントのｅまたはｆ方向から見た側面図を示している。
【００３６】
この実施の形態例に係る電気接続器具１００ａは、本体部１０５の表面１０５ａが「豚」の顔を模して形成されている。この実施の形態例では、「豚」の顔は、二重の同心円が本体部１０５の表面１０５ａの左目に相当する位置に浮き彫り状に形成され、さらに、不等号記号「＞」が本体部１０５の表面１０５ａの右目に相当する位置に浮き彫り状に形成されることによって、目が、形成されている（図２（Ａ）参照）。また、「豚」の顔は、例えば顔の縦の長さの数分の一程度の長さの短尺の円柱状の突出部１１０が本体部１０５の表面１０５ａの鼻に相当する位置に形成されることによって、鼻が、形成されている（図２（Ａ）参照）。
【００３７】
この実施の形態例では、複数のコード１２０のそれぞれは、本体部１０５の左右の下側約３０度の位置から斜め下方向に向けて本体部１０５の外周部にまで設けられている。そのコード１２０のそれぞれは、先端に、コンセント１２２が設けられている。コンセント１２２のそれぞれは、外部プラグの差込端子が差し込まれる差込口１２５が設けられている（図２（Ｂ）参照）。この例では、これらコンセント１２２が豚の脚に見立てて設けられている。
【００３８】
この実施の形態例では、突出部１１０が、「豚」の鼻に相当する位置に形成されていて、外部プラグの差込端子が差し込まれるコンセント１２７の差込口が、突出部１１０の先端から外部に露出するように突出部１１０の内部に設けられている（図２（Ａ）参照）。このコンセント１２７は、コードによって、他の２つのコンセント１２２と並列に、プラグ１３０と電気的に接続されている。
【００３９】
なお、この実施の形態例は、実施の形態例１と同様に、プラグ１３０は、筐体１３０ａを有しており、この筐体１３０ａから差込端子１３５が突出している。
【００４０】
以上の通り、この実施の形態例に係る電気接続器具１００ａは、実施の形態例１と同様に、外部プラグを差し込む位置が各コード１２０の先端部に分散されているので、外部プラグからコンセント１２２にかかる応力を各コード１２０に分散させることができる。
【００４１】
［実施の形態例３］
以下、図３（Ａ）、（Ｂ）、及び（Ｃ）を参照して、実施の形態例３に係る電気接続器具の構成につき説明する。なお、図３（Ａ）、（Ｂ）、及び（Ｃ）は、それぞれ、実施の形態例３に係る電気接続器具の構成を示す図である。図３（Ａ）は、実施の形態例３に係る電気接続器具の正面図を示し、図３（Ｂ）は、実施の形態例３に係る電気接続器具のコンセントのｅまたはｆ方向から見た側面図を示し、図３（Ｃ）は、実施の形態例３に係る電気接続器具の突出部のｇ方向から見た側面図を示している。
【００４２】
この実施の形態例に係る電気接続器具１００ｂは、本体部１０５の表面１０５ａが「象」の顔を模して形成されている。この実施の形態例では、「象」の顔は、円が本体部１０５の表面１０５ａの左目に相当する位置及び右目に相当する位置に浮き彫り状に形成されることによって、目が、形成されている（図３（Ａ）参照）。また、「象」の顔は、例えば顔の縦の長さと同程度の長さの長尺の円柱状の突出部１１０が本体部１０５の表面１０５ａの鼻に相当する位置に形成されることによって、鼻が、形成されている（図３（Ａ）参照）。
【００４３】
この実施の形態例では、複数のコード１２０のそれぞれは、本体部１０５の左右の下側約３０度の位置から斜め下方向に向けて本体部１０５の外周部にまで設けられている。コード１２０のそれぞれは、先端に、コンセント１２２が設けられている。コンセント１２２のそれぞれは、外部プラグの差込端子が差し込まれる差込口１２５が設けられている（図３（Ｂ）参照）。この例では、これらコンセント１２２が象の脚に見立てて設けられている。
【００４４】
この実施の形態例では、突出部１１０が、「象」の鼻に相当する位置に形成されていて、外部プラグの差込端子が差し込まれるコンセント１２７の差込口が、突出部１１０の先端から外部に露出するように突出部１１０の内部に設けられている（図３（Ｃ）参照）。このコンセント１２７は、コードによって、他の２つのコンセント１２２と並列に、プラグ１３０と電気的に接続されている。
【００４５】
なお、この実施の形態例は、実施の形態例１と同様に、プラグ１３０は、筐体１３０ａを有しており、この筐体１３０ａから差込端子１３５が突出している。
【００４６】
以上の通り、この実施の形態例に係る電気接続器具１００ｂは、実施の形態例１及び２と同様に、外部プラグを差し込む位置が各コード１２０の先端部に分散されているので、外部プラグからコンセント１２２にかかる応力を各コード１２０に分散させることができる。
【００４７】
この考案は、上述の実施の形態例に限定されることなく、この考案の要旨を逸脱しない範囲で種々の変更や変形を行うことができる。
【００４８】
例えば、動物の顔のデザインは、図示したものに限らず、適宜変更することができる。
【００４９】
また、動物の顔は、犬や猫その他であってもよい。
【図面の簡単な説明】
【００５０】
【図１−１】（Ａ）及び（Ｂ）は、それぞれ、実施の形態例１に係る電気接続器具の構成を示す図（１）である。
【図１−２】（Ａ）及び（Ｂ）は、それぞれ、実施の形態例１に係る電気接続器具の構成を示す図（２）である。
【図１−３】（Ａ）及び（Ｂ）は、それぞれ、実施の形態例１に係る電気接続器具の構成を示す図（３）である。
【図１−４】（Ａ）及び（Ｂ）は、それぞれ、実施の形態例１に係る電気接続器具の構成を示す図（４）である。
【図２】（Ａ）及び（Ｂ）は、それぞれ、実施の形態例２に係る電気接続器具の構成を示す図である。
【図３】（Ａ）〜（Ｃ）は、それぞれ、実施の形態例３に係る電気接続器具の構成を示す図である。
【符号の説明】
【００５１】
１００    …電気接続器具
１０５（１０５ａ，１０５ｂ）    …本体部（表面，裏面）
１１０    …突出部
１１５    …照明（発光ダイオード）
１２０    …コード
１２２    …コンセント
１２５    …差込口
１３０    …プラグ
１３５    …差込端子
【図１−１】
0003136426.tif 000003
【図１−２】
0003136426.tif 000004
【図１−３】
0003136426.tif 000005
【図１−４】
0003136426.tif 000006
【図２】
0003136426.tif 000007
【図３】
0003136426.tif 000008